(57)【要約】【課題】上レールに吊設されて自動的に開閉する吊戸を備えた自動式吊戸装置であって、吊戸が開いた際に収納される戸袋パネルは取外すことが出来ない建築壁にて構成されている場合、保守・点検が便利なようにした吊戸装置の提供。【解決手段】吊戸１が吊設される上レール、吊戸１を開閉駆動するモーター、コントロールユニット５、その他必要な部材を基板２に装着し、該基板２は下地枠体の下地上桟１４から垂下する鉄筋１５に固定されている上桟２０に着脱可能に取付けられている。【選択図】        図１
2004204595.tif 000002
【特許請求の範囲】
【請求項１】
上レールに吊設されて自動的に開閉する吊戸を備えた自動式吊戸装置において、吊戸が開いた際に収納される戸袋を構成するパネルは建築壁と一体化し、そして上記上レール、吊戸を開閉駆動するモーター、コントロールユニット、その他必要な部材は基板に装着され、該基板は戸袋側先端を金具と係合して支持すると共に、間口側先端はネジ止めして取付けたことを特徴とする自動式吊戸装置。
【請求項２】
上記基板が着脱可能に取付けられる上桟は、下地枠体の下地上桟から垂下する鉄筋にて吊設され、また吊戸先端が閉じた際に当る戸当り桟は、下地枠体の下地縦桟から延びる金具と連結した縦桟に取付け、更に吊戸が開いた際に戸尻端が当るクッション材を上記下地縦桟から延びる金具と連結した縦桟に取付けた請求項１記載の自動式吊戸装置。
【発明の詳細な説明】
【０００１】
【発明の属する技術分野】
本発明は建築壁の一部として構成されて取外すことが出来ない戸袋を備え、該戸袋から吊戸が自動で出入りして開閉する吊戸装置に関するものである。
【０００２】
【従来の技術】
図５は従来の一般的な吊戸装置の正面図であり、吊戸(イ)は上レールに吊設されて走行し、間口を開閉することが出来る。そして、吊戸(イ)が開口した場合に収まる戸袋を構成する戸袋パネル(ロ)が据付られ、上レールをカバーすると共に点検する為の点検パネル(ハ)が上部に取付けされている。この点検パネル(ハ)は簡単に取外して内部を開口することが出来る取付け構造と成っている。
【０００３】
同図の(ａ)は点検パネル(ハ)が吊戸(イ)と戸袋パネル(ロ)に跨った長いパネルが用いられ、(ｂ)では戸袋(ロ)が上端まで延びて点検パネル(ハ)は吊戸(イ)の上部のみと成っている。このような吊戸装置は部屋を仕切っている間仕切りの一部として構成している為に、上レール等の開閉装置の保守点検時には上記戸袋パネル(ロ)及び点検パネル(ハ)を取外すことが出来る。
【０００４】
ところが、建物によってはパネルを据え付けする間仕切り装置を用いないで、ボードやクロス貼り等による建築壁として施工することもある。この場合には間口に設ける吊戸の戸袋も建築壁と同じ壁面にて構成され、点検パネルの部分も建築壁面と成る。建築壁にて戸袋パネルや点検パネルを構成する方が外観的に意匠が良くなる。しかし、取り外し出来る戸袋パネルや点検パネルがないことで、吊戸を吊設する上レール並びにその他の付属装置の保守点検が出来ない。
【０００５】
近年、吊戸が吊設されて開閉する上レールは僅かに傾斜して取付けられ、手で押し開いた吊戸はその自重にて独りでに閉じることが出来る。すなわち、上レールの僅かな傾斜だけで半自動開閉の吊戸装置と成る。しかし、開閉動作を自動で行なう吊戸では、モーターなどの駆動装置、コントロールユニット、及びその他の付属装置が必要となり、保守点検する必要性は更に大きくなる。
【０００６】
【発明が解決しようとする課題】
このように、戸袋パネルや点検パネルを使用しないで建築壁にて構成ずる吊戸装置には上記のごとき問題がある。本発明が解決しようとする課題はこれら問題点であり、上レール及びその他開閉駆動装置を簡単に取外し出来る自動式の吊戸装置を提供する。
【０００７】
【課題を解決する為の手段】
本発明の吊戸装置は、吊戸の開閉操作を完全自動方式とし、ユニット基板に固定している上レールに吊戸は吊設され、該ユニット基板は着脱可能な取付け構造と成っている。吊戸が開いた際に収納される戸袋を備えているが、該戸袋は建物壁として構成され、取外すことは出来ない。ただし、点検パネルは間口上部に着脱可能に設けている。
【０００８】
従って、戸袋と成る上部には点検パネルはなく、又該戸袋を取外すことも出来ない。そこで、上記ユニット基板が着脱可能な取付け構造となっていて、保守点検時には外に取外して行なわれる。ここで、ユニット基板には上レール、モーター、制御盤、その他の付属部品が取付けられていて、これら全体が取外し出来る構造と成っている。以下、本発明に係る実施例を図面に基づいて詳細に説明する。
【０００９】
【実施例】
図１は本発明に係る吊戸装置を示す概略図であり、吊戸１は上レールに吊設されて開閉することが出来るが、上レールは基板２に固定され、該基板２は着脱可能に取付けられている。この吊戸装置は、吊戸が開くことで収納される戸袋は前記図５に示した戸袋パネルを用いておらず、建築壁の一部として構成している。従って、外観上は戸袋の有無は分らず、部屋の壁面と一体化した外観を呈している。
【００１０】
そして、上記上レールを固定している基板２は間口から戸袋６に掛けて延びていて、この基板２の戸袋側先端は上桟に設けている上下金具７ａ，７ｂに嵌まり、間口側先端はネジ止めされている。従って、基板２はその先端を上下金具７ａ，７ｂに嵌めたところでネジ止めするならば所定の位置に取着され、逆にネジを外して両金具から引き抜くことで取り外し出来る。
【００１１】
ところで、この基板２には吊戸上端に設けている吊車が載って転動する上レールが固定され、又両端にはプーリー３ａ，３ｂが取付けられていて、このプーリー３ａ，３ｂにはベルト４が巻き掛けられている。そして、一方のプーリー３ａはモーターにて回転駆動され、プーリー３ａ，３ｂが回転することでベルト４は走行することが出来る。吊戸１がこのベルト４に連結している為に、該吊戸１がベルトの走行に伴って開閉する。又、基板２には、プーリーやモーターの他に、コントロールユニット５や衝撃緩衝材などの部材が備わっている。
【００１２】
図２、図３は本発明の吊戸装置を示している具体例であり、図２は横断面図、図３は縦断面図であり、(ａ)は戸先部分の縦断面図、(ｂ)は戸袋部分の縦断面図を夫々表している。図２から明らかなように、同図の１は引戸、８は戸当り桟、９は戸袋木口桟、１０は点検パネル、１１は吊車を夫々示している。吊戸１は芯材としてペーパーコア１２が使用されて、その両面には表面材１３，１３が貼着されている。吊戸１は上端に吊車１１が取着され、該吊車１１は上レールに載って転動することで吊戸１は開閉することが出来る。
【００１３】
ここで、上レールは下地枠体の下地上桟１４から垂下する鉄筋１５の下端に固定されている上桟２０に着脱可能に取付けられている基板２にネジ止め等にて取着されている。上レールはほぼ水平に取付けられて吊車１１が載り、基板２に備わっているリニアモーター１６にて吊戸１は開閉する。吊戸１の開閉駆動手段は回転式モーターに限らず、同図のようにリニアモーター１６を用いることも出来る。
【００１４】
一方、戸当り桟８には閉じた吊戸先端が当るように成るが、下地枠体の下地縦桟１７から水平に延びた鉄筋の先端金具１８を縦桟１９と連結し、該縦桟１９に上記戸当り桟８が取着されている。又、吊戸１が開いた際に、戸尻端が当るクッション材２３を設けているが、該クッション材２３は下地縦桟１７から延びる金具と連結した縦桟１９に取付けられている。
【００１５】
ここで、本発明の吊戸装置が装着される下地枠体は、図４に示すように左右に下地縦桟１７，１７が起立すると共に、上端には下地上桟１４が水平に据付られて構成され、この下地縦桟１７に取着されている金具１８，１８・・に縦桟１９，１９が連結されている。同じく下地上桟１４から垂下する鉄筋１５，１５・・の下端には上桟２０が固定され、該上桟２０に上記基板２が着脱可能に取付けられている。
【００１６】
そして図２、図３に示すように、下地枠体の両面側にパネル２１，２１・・が配置されて、仕切られる部屋空間の壁面となり、又該パネル２１，２１・・によって戸袋６が構成されている。パネル２１，２１・・によって形成された出入口には上記戸当り桟８及び戸袋木口桟９，９が取着され、さらに図３に示す間口上桟２２が出入口上部に取着されている。
【００１７】
戸袋木口桟９，９はコ型断面の一片から延びる止着片２４をパネルにネジ止めされて取付けられ、間口上桟２２は上桟２０の下端にネジ止めされている。一方、吊戸１が吊設される上レール及び該上レールに載って転動する吊車１１、又吊戸１を移動するリニアモーター１６、更に吊戸1が静かに閉じるようにダンパーが間口上方の空間に収納されているが、間口上部には点検パネル１０が取付けられている。
【００１８】
以上述べたように、本発明の吊戸装置は建築壁にて戸袋を設けて、上レールその他の部材を基板に備え、該基板を上桟に着脱可能に取付けたものであり、次のような効果を得ることが出来る。
【００１９】
【発明の効果】
本発明に係る吊戸装置は戸袋を備えていて、吊戸が開いた場合には該戸袋に収納されることに成るが、該戸袋を構成するパネルは建築壁の一部として同一仕様で作られている。従って、外観的には意匠的に良好となり、戸袋の有無は分らず他の壁面と区別が付かず、一体感が得られる。
【００２０】
そして、本発明の吊戸は完全自動開閉することが出来るが、吊戸を吊設している上レール、及び吊戸を開閉するモーター、及びコントロールユニットなどは基板に装着され、該基板は着脱することが出来る取付け構造と成っている。従って、故障した場合や、保守・点検時には該基板ごと取外して作業を行い得る。
【図面の簡単な説明】
【図１】本発明に係る吊戸装置の外観概略図。
【図２】吊戸装置の具体例で、横断面図。
【図３】吊戸装置の具体例で、縦断面図。
【図４】吊戸装置を構成する下地枠体。
【図５】従来の吊戸装置の概略図。
【符号の説明】
１  吊戸
２  基板
３  プーリー
４  ベルト
５  コントロールユニット
６  戸袋
７  金具
８  戸当り桟
９  戸袋木口桟
10  点検パネル
11  吊車
12  ペーパーコア
13  表面材
14  下地上桟
15  鉄筋
16  リニアモーター
17  下地縦桟
18  金具
19  縦桟
20  上桟
21  パネル
22  間口上桟
23  クッション材
24  止着片
【図１】
2004204595.tif 000003
【図２】
2004204595.tif 000004
【図３】
2004204595.tif 000005
【図４】
2004204595.tif 000006
【図５】
2004204595.tif 000007